(57)【要約】【課題】  異常が発生した際に速やかに異常状態を知らせることができる負荷駆動回路を提供する。【解決手段】  電源１とリレースイッチ２との間に設けられリレースイッチ２に印加される電源１の電圧をオン／オフするスイッチ手段３と、スイッチ手段３を駆動する制御手段６とを備えた負荷駆動回路であって、制御手段６は、スイッチ手段３と制御手段６とを接続する配線における第１の電圧レベルと、スイッチ手段３とリレースイッチ２とを接続する配線における第２の電圧レベルとの間に論理差が生じた場合には異常状態であるとして、異常状態を伝達するように促す制御信号を出力する。【選択図】  図１
2010050766.tif 000002
【特許請求の範囲】
【請求項１】
電源と負荷との間に設けられ前記負荷に印加される前記電源の電圧をオン／オフするスイッチ手段と、前記スイッチ手段を駆動する制御手段とを備えた負荷駆動回路であって、
前記制御手段は、前記スイッチ手段と前記制御手段とを接続する配線における第１の電圧レベルと、前記スイッチ手段と前記負荷とを接続する配線における第２の電圧レベルとの間に論理差が生じた場合には異常状態であるとして、異常状態を伝達するように促す制御信号を出力することを特徴とする負荷駆動回路。
【請求項２】
前記制御手段に接続される報知手段を備え、前記制御手段は、前記検出信号に基づいて異常状態を判定処理し、異常状態であると判定した場合に、警報を報知するように促す制御信号を前記報知手段へ出力することを特徴とする請求項１に記載の負荷駆動回路。
【請求項３】
前記スイッチ手段と前記制御手段とを接続する配線における第１の電圧レベルと、前記スイッチ手段と前記負荷とを接続する配線における第２の電圧レベルとを入力し、排他的論理和を前記制御手段へ出力する判定用回路を備えてなることを特徴とする請求項１に記載の負荷駆動回路。
【発明の詳細な説明】
【技術分野】
【０００１】
本発明は、電源と負荷との間に設けられ前記負荷に印加される前記電源の電圧をオン／オフするスイッチ手段と、このスイッチ手段を駆動する制御手段とを備えた負荷駆動回路に関する。
【背景技術】
【０００２】
従来、電源と負荷との間に設けられ前記負荷に印加される前記電源の電圧をオン／オフするスイッチ手段と、このスイッチ手段を駆動する制御手段とを備えた負荷駆動回路があり、例えば、特許文献１に開示される。
【特許文献１】特開平２０００−１０１０８０号公報
【発明の開示】
【発明が解決しようとする課題】
【０００３】
しかしながら、これらの負荷駆動回路は、電子部品を保護できるものの、ユーザーにとって異常状態であることを認識し難いことがあり、速やかに異常を解決することができないという問題があった。
【０００４】
そこで本発明の目的とするところは、上記問題に着目してなされたものであって、異常が発生した際に速やかに異常状態を知らせることができる負荷駆動回路を提供することにある。
【課題を解決するための手段】
【０００５】
本発明の負荷駆動回路は、請求項１に記載したように、電源と負荷との間に設けられ前記負荷に印加される前記電源の電圧をオン／オフするスイッチ手段と、前記スイッチ手段を駆動する制御手段とを備えた負荷駆動回路であって、前記制御手段は、前記スイッチ手段と前記制御手段とを接続する配線における第１の電圧レベルと、前記スイッチ手段と前記負荷とを接続する配線における第２の電圧レベルとの間に論理差が生じた場合には異常状態であるとして、異常状態を伝達するように促す制御信号を出力することを特徴とする。
【０００６】
また、請求項２に記載したように、請求項１に記載の負荷駆動回路において、前記制御手段に接続される報知手段を備え、前記制御手段は、前記検出信号に基づいて異常状態を判定処理し、異常状態であると判定した場合に、警報を報知するように促す制御信号を前記報知手段へ出力することを特徴とする。
【０００７】
また、請求項３に記載したように、請求項１に記載の負荷駆動回路において、前記スイッチ手段と前記制御手段とを接続する配線における第１の電圧レベルと、前記スイッチ手段と前記負荷とを接続する配線における第２の電圧レベルとを入力し、排他的論理和を前記制御手段へ出力する判定用回路を備えてなることを特徴とする。
【発明の効果】
【０００８】
本発明は、電源と負荷との間に設けられ前記負荷に印加される前記電源の電圧をオン／オフするスイッチ手段と、このスイッチ手段を駆動する制御手段とを備えた負荷駆動回路に関し、異常が発生した際に速やかに異常状態を知らせることができる。
【発明を実施するための最良の形態】
【０００９】
以下、本発明が適用された実施の形態について添付図面を用いて説明する。
【００１０】
図１は、本発明を車両の前照灯の点灯／消灯を切り替えるリレースイッチ（負荷）を制御する回路に適用したものであり、電源１と、リレースイッチ２と、スイッチ手段３と、判定用回路４と、入力手段５と、制御手段６と、報知手段７と、から主に構成される。
【００１１】
電源１は、車両のバッテリーや発電機を適用でき、この場合、約１２Ｖの電源電圧が負荷側に供給される。
【００１２】
リレースイッチ２は、前照灯の点灯／消灯を切り替えるための負荷回路であり、電源１と接続状態である時（電源１から電力供給状態の時）に前照灯が点灯するように構成される。
【００１３】
スイッチ手段３は、例えば、ＦＥＴ（電界効果型トランジスタ）を適用でき、電源１とリレースイッチ２との間に設けられ、ドレイン側に接続される電源からソース側に接続され負荷となるリレースイッチ２への電力供給のオン／オフを切り替え可能に構成される。また、スイッチ手段３は、ゲート側に制御手段６が接続されており、制御手段６からの制御信号に基づいて、リレースイッチ２に印加される電源１の電圧をオン／オフする。
【００１４】
判定用回路４は、スイッチ手段３と制御手段６とを接続する配線における第１の電圧レベルと、スイッチ手段３とリレースイッチ２とを接続する配線における第２の電圧レベルとを入力し、これら第１，第２の電圧レベルの排他的論理和を制御手段６へ出力するものである。この場合、判定用回路４は、制御手段６からスイッチ手段３へスイッチ手段３がオンされるように促す信号（第１の電圧レベル）があり、かつスイッチ手段３を介して電源１からリレースイッチ２へ電力供給（第２の電圧レベル）がない場合、または、制御手段６からスイッチ手段３へスイッチ手段３がオフされるように促す信号（第１の電圧レベル）があり、かつスイッチ手段３を介して電源１からリレースイッチ２へ電力供給（第２の電圧レベル）がある場合、の時に異常な状態であるとして、制御手段６へ信号出力されるように構成される。
【００１５】
入力手段５は、制御手段６に接続され、操作者の操作に応じて操作信号を発するものであり、例えば、押圧スイッチが適用できる。
【００１６】
制御手段６は、例えば、マイクロコンピュータを適用でき、入力手段５からの操作信号に基づいて、前照灯を点灯／消灯の切り替え制御を行うための回路である。制御手段６は、操作信号に基づいて前照灯を点灯させる際には、電源１からリレースイッチ２へ電力供給状態とするように促す制御信号をスイッチ手段３へ出力する。また、制御手段６は、判定用回路４からの信号を入力した場合には、信号をサンプリングするなど所定プログラムにより異常状態か否かを判定し、異常状態であると判定した場合には、スイッチ手段３をオフするように促すスイッチ手段３へ制御信号を出力するとともに、警報を報知するように促す制御信号を報知手段７へ出力する。
【００１７】
報知手段７は、例えば、液晶などを用いた表示パネルを適用でき、制御手段６からの制御信号に基づいて、「配線異常」あるいは「照明出力異常」などの異常状態であることを知らせる文字からなるメッセージ、あるいは所定の警報マークを表示する。なお、報知手段７は、上述した警報を専用に表示するだけでなく、異常状態でない場合には、車両の計測情報や時刻などの情報を表示する表示器として兼用できる。また、報知手段７として、表示パネルだけではなく、音声を出力するスピーカ、または警報ランプ、またはこれらのうち何れかを組み合わせて適用することもできる。
【００１８】
斯かる負荷駆動回路は、電源１とリレースイッチ２との間に設けられリレースイッチ２に印加される電源１の電圧をオン／オフするスイッチ手段３と、スイッチ手段３を駆動する制御手段６とを備えた負荷駆動回路であって、制御手段６は、スイッチ手段３と制御手段６とを接続する配線における第１の電圧レベルと、スイッチ手段３とリレースイッチ２とを接続する配線における第２の電圧レベルとの間に論理差が生じた場合には異常状態であるとして、異常状態を伝達するように促す制御信号を出力する。
【００１９】
従って、例えば、スイッチ手段３の回路が故障した状態や、スイッチ手段３とリレースイッチとの間の配線が短絡した状態など、異常状態を検出した際に、負荷の駆動を停止し、異常状態であることを速やかに伝達できる負荷駆動回路となる。
【００２０】
また、制御手段６に接続される報知手段７を備え、制御手段６は、前記検出信号に基づいて異常状態を判定処理し、異常状態であると判定した場合に、警報を報知するように促す制御信号を報知手段７へ出力することによって、車両ユーザー（操作者）に異常状態であることを速やかに知らせることができる。
【００２１】
また、スイッチ手段３と制御手段６とを接続する配線における第１の電圧レベルと、スイッチ手段３とリレースイッチ２とを接続する配線における第２の電圧レベルとを入力し、排他的論理和を制御手段３へ出力する判定用回路５を備えてなるによって、簡単な構成にて制御手段６が異常状態を判定することが可能となる。なお、判定用回路４を用いない場合には、前記第１の電圧レベルと前記第２の電圧レベルとをそれぞれ制御手段６が入力するようにして構成でき、論理差を制御手段６が判定することで実現できる。
【００２２】
なお、制御手段６に接続され、操作者の操作に応じて操作信号を発する入力手段５を備え、制御手段６は、前記操作信号に基づいて、スイッチ手段３を駆動制御することによって、例えば、操作者が負荷回路を作動させる操作を行ったか否かを判定するなどして、異常箇所などを判定し、状況に応じた警報、あるいは操作者による操作に応じたメッセージを報知することもできる。
【００２３】
また、本発明の負荷駆動回路を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、負荷駆動回路を車両でなく船舶などに適用することもできる。また、前照灯制御でなく、駆動モータやブレーキ制御機器など、他の機器を駆動制御するための負荷駆動回路として適用することもできる。
【図面の簡単な説明】
【００２４】
【図１】本発明の実施の形態の構成を示すブロック図。
【符号の説明】
【００２５】
１  電源
２  リレースイッチ（負荷）
３  スイッチ手段
４  判定用回路
６  制御手段
７  報知手段
【図１】
2010050766.tif 000003